(57)【特許請求の範囲】
【請求項１】
被写界を照射する閃光発光部と、
被写界の色バランスを検出する色バランス検出部と、
前記色バランス検出部の出力に基づいて、前記閃光発光部の閃光発光時の背景光露出値の補正値を算出する補正値演算部と、
前記色バランス検出部の出力に基づいて、前記閃光発光部の調光レベルの補正値を算出する調光レベル補正演算部とを備え、
前記補正値演算部及び前記調光レベル補正演算部は、被写界の輝度から演算した前記閃光発光部の調光レベルを補正して撮影時の調光レベルを決める前記調光レベルの補正値を求め、被写界の輝度から演算した背景光露出値を補正して撮影時の背景光露出値を決める前記背景光露出値の補正値を求めることによって、閃光と背景光との色バランスが最適になるように前記背景光露出値と前記閃光発光部の調光レベルとの露出バランスを取る演算を行う閃光発光可能なカメラ。
【請求項２】
請求項１に記載の閃光発光可能なカメラにおいて、前記色バランス検出部は、撮影画面の上部の色情報に基づいて、色バランスを検出することを特徴とする閃光発光可能なカメラ。
【請求項３】
請求項２に記載の閃光発光可能なカメラにおいて、カメラの姿勢を検出する姿勢検出部を更に備え、前記色バランス検出部は、前記姿勢検出部の出力に基づいて、色バランスを検出することを特徴とする閃光発光可能なカメラ。
【請求項４】
請求項１に記載の閃光発光可能なカメラにおいて、前記色バランス検出部は、全撮影画面の色情報に基づいて、色バランスを検出することを特徴とする閃光発光可能なカメラ。
【請求項５】
請求項１に記載の閃光発光可能なカメラにおいて、前記補正値演算部は、前記色バランス検出部の出力に基づいて、緑成分が多いと判定した場合には、背景光露出が露出アンダーになるような補正値を算出することを特徴とする閃光発光可能なカメラ。
【請求項６】
請求項１に記載の閃光発光可能なカメラにおいて、前記調光レベル補正演算部は、前記色バランス検出部の出力に基づいて、緑成分が多いと判定した場合には、緑成分が少ないときに比較して高い調光レベルを算出することを特徴とする閃光発光可能なカメラ。
【請求項７】
請求項１に記載の閃光発光可能なカメラにおいて、前記補正値演算部は、前記色バランス検出部の出力に基づいて、赤成分が多いと判定した場合には、背景光露出が露出オーバーになるような補正値を算出することを特徴とする閃光発光可能なカメラ。
【請求項８】
請求項１に記載の閃光発光可能なカメラにおいて、前記調光レベル補正演算部は、前記色バランス検出部の出力に基づいて、赤成分が多いと判定した場合には、赤成分が少ないときに比較して低い調光レベルを算出することを特徴とする閃光発光可能なカメラ。
【請求項９】
請求項１に記載の閃光発光可能なカメラにおいて、前記補正値演算部は、前記色バランス検出部の出力に基づいて、青成分が多いと判定した場合には、背景光露出が露出アンダーになるような補正値を算出することを特徴とする閃光発光可能なカメラ。
【請求項１０】
請求項１に記載の閃光発光可能なカメラにおいて、前記調光レベル補正演算部は、前記色バランス検出部の出力に基づいて、青成分が多いと判定した場合には、青成分が少ないときに比較して高い調光レベルを算出することを特徴とする閃光発光可能なカメラ。
【発明の詳細な説明】
【０００１】
【発明の属する技術分野】
本発明は、閃光発光可能なカメラに関し、特に、閃光発光撮影時における閃光発光による露光量と、背景光による露光量とのバランスを制御可能な閃光発光可能なカメラに関するものである。
【０００２】
【従来の技術】
従来、この種のカメラに関しては、実公平７−２３７７４号公報のようなものがあった。このカメラは、被写体が蛍光灯により照明されているか否かを判別する判別手段を有し、蛍光灯により照明されていると判別された場合には、ストロボ光を発光して撮影するストロボ撮影モードに切り換えて、蛍光灯照明による緑色の色カブリを軽減させようというものである。
【０００３】
また、特開平４−１６７７７１号公報には、被写体の輝度成分のレベルと色度成分のレベルを検出して、被写体の撮影状態を判別し、その判別結果に応じて、測光制御信号を補正する技術が開示されている。具体的には、逆光又は過順光状態と判定された場合には、画面内に肌色が存在する輝度信号の分割枠の値が適正露出値となるように補正信号を出力し、人間の顔が適正露出になるように補正しようというものである。
【０００４】
【発明が解決しようとする課題】
しかし、実公平７−２３７７４のカメラは、蛍光灯照明であることを判別して、ストロボ撮影モードに切り換えることにより、蛍光灯の色カブリを軽減させることには効果があるが、蛍光灯照明でない場合に、ストロボ撮影を行ったときにも同じ様な制御が行われるので、周りの照明の雰囲気のない写真となってしまうおそれがあった。
例えば、夕焼けをバックに人物をストロボ撮影しようとするときには、夕焼けが写る程度に背景光露出を施し、なおかつ、ストロボ光による露光も行う、いわゆるバランスシンクロ撮影を行うのが望ましい。しかし、蛍光灯照明で、バランスシンクロ撮影を行うと、上述したように、蛍光灯による色カブリは直らず、人物の顔が緑色がかって不健康そうに写ってしまう。逆に、蛍光灯照明下で人物の顔に色カブリがない程度に背景光露出制御を行った場合には、今度は、夕焼けをバックに撮る写真では、夕焼けが写らずに、背景が極端な露出アンダーになってしまう。
【０００５】
また、特開平４−１６７７７１のカメラは、色度信号成分によって撮影状態を判別して測光制御信号を補正するが、ストロボ光による照射がないので、人物の顔を照明している光源による色カブリを補正することができないという問題点があった。
【０００６】
そこで、本発明では、ストロボ光と照明光とのバランスを取りながら撮影する、いわゆるバランスシンクロ撮影において、そのストロボ光と照明光との色バランスが最適になるよう制御可能な閃光発光可能なカメラを提供することを課題としている。
【０００７】
【課題を解決するための手段】
前記課題を解決するために、請求項１の発明は、被写界を照射する閃光発光部と、被写界の色バランスを検出する色バランス検出部と、前記色バランス検出部の出力に基づいて、前記閃光発光部の閃光発光時の背景光露出値の補正値を算出する補正値演算部と、前記色バランス検出部の出力に基づいて、前記閃光発光部の調光レベルの補正値を算出する調光レベル補正演算部とを備え、前記補正値演算部及び前記調光レベル補正演算部は、被写界の輝度から演算した前記閃光発光部の調光レベルを補正して撮影時の調光レベルを決める前記調光レベルの補正値を求め、被写界の輝度から演算した背景光露出値を補正して撮影時の背景光露出値を決める前記背景光露出値の補正値を求めることによって、閃光と背景光との色バランスが最適になるように前記背景光露出値と前記閃光発光部の調光レベルとの露出バランスを取る演算を行う。請求項２の発明は、請求項１に記載の閃光発光可能なカメラにおいて、前記色バランス検出部は、撮影画面の上部の色情報に基づいて、色バランスを検出することを特徴とする。請求項３の発明は、請求項２に記載の閃光発光可能なカメラにおいて、カメラの姿勢を検出する姿勢検出部を更に備え、前記色バランス検出部は、前記姿勢検出部の出力に基づいて、色バランスを検出することを特徴とする。請求項４の発明は、請求項１に記載の閃光発光可能なカメラにおいて、前記色バランス検出部は、全撮影画面の色情報に基づいて、色バランスを検出することを特徴とする。請求項５の発明は、請求項１に記載の閃光発光可能なカメラにおいて、前記補正値演算部は、前記色バランス検出部の出力に基づいて、緑成分が多いと判定した場合には、背景光露出が露出アンダーになるような補正値を算出することを特徴とする。請求項６の発明は、請求項１に記載の閃光発光可能なカメラにおいて、前記調光レベル補正演算部は、前記色バランス検出部の出力に基づいて、緑成分が多いと判定した場合には、緑成分が少ないときに比較して高い調光レベルを算出することを特徴とする。請求項７の発明は、請求項１に記載の閃光発光可能なカメラにおいて、前記補正値演算部は、前記色バランス検出部の出力に基づいて、赤成分が多いと判定した場合には、背景光露出が露出オーバーになるような補正値を算出することを特徴とする。請求項８の発明は、請求項１に記載の閃光発光可能なカメラにおいて、前記調光レベル補正演算部は、前記色バランス検出部の出力に基づいて、赤成分が多いと判定した場合には、赤成分が少ないときに比較して低い調光レベルを算出することを特徴とする。請求項９の発明は、請求項１に記載の閃光発光可能なカメラにおいて、前記補正値演算部は、前記色バランス検出部の出力に基づいて、青成分が多いと判定した場合には、背景光露出が露出アンダーになるような補正値を算出することを特徴とする。請求項１０の発明は、請求項１に記載の閃光発光可能なカメラにおいて、前記調光レベル補正演算部は、前記色バランス検出部の出力に基づいて、青成分が多いと判定した場合には、青成分が少ないときに比較して高い調光レベルを算出することを特徴とする。
【０００８】
【発明の実施の形態】
以下、図面を参照して、本発明の実施形態について説明する。
図１は、本発明の一実施形態に係わる閃光発光可能なカメラの概略の構成を示すブロック図である。
測光部１６は、被写界を複数に分割して測光し、それぞれの測光データを順次出力する部分であり、その測光データは、露出演算部１８及び調光レベル演算部１９に接続されている。
露出演算部１８及び調光レベル演算部１９は、それぞれのアルゴリズムにより、背景光露出値及び調光レベル値を演算する部分である。これらの演算アルゴリズムについては、後に詳しく説明する。露出演算部１８の出力は、露出制御部２２に接続され、調光レベル演算部１９の出力は、調光制御部２３に接続されている。
【０００９】
また、測光部１６は、図４に示すように、青（Ｂ），緑（Ｇ），赤（Ｒ）に対する分光感度の異なるセンサを備えており、測光と同時に被写界の各色を測定可能になっており、その出力は、色バランス検出部１７に接続されている。
色バランス検出部１７は、測光データの一部又は全部を用いて、被写界の色バランスを検出する部分であり、後述する姿勢センサ１５（図１１）からの出力に基づいて、カメラの姿勢が横位置であるか縦位置であるかを考慮して色バランスを判定し、その出力は、背景露出補正演算部２０及び調光レベル補正演算部２１に接続されている。
【００１０】
背景露出補正演算部２０及び調光レベル補正演算部２１は、それぞれの演算式により背景露出補正値及び調光レベル補正値を演算する部分である。それぞれの演算式は、後に詳しく説明する。背景露出補正演算部２０の出力は、露出制御部２２に接続され、調光レベル補正演算部２１は、調光制御部２３に接続されている。
【００１１】
露出制御部２２は、露出演算部１８及び背景露出補正演算部２０の出力に基づいて、背景光露出を行う部分である。つまり、露出制御部２２は、不図示のレリーズボタンが全押しされることにより、ミラー２を跳ね上げ、露出演算部１８及び背景露出補正演算部２０の出力に基づいた露出値に従って、絞り１１及びシャッター１２を制御してフィルムへの露光を行う。
【００１２】
一方、調光制御部２３は、調光レベル演算部１９及び調光レベル補正演算部２１の出力に基づいて、ストロボの発光量制御を行う部分である。つまり、調光制御部２３は、不図示のレリーズボタンの全押しにより、閃光発光信号を受け取った場合に、調光レベル演算部１９及び調光レベル補正演算部２１の出力に基づいた調光レベルに従って、閃光発光部１０の発光量を制御する。
【００１３】
図２は、本実施形態によるカメラの光学系を示すブロック図である。
光束は、撮影レンズ１を通過した後に、クイックリターンミラー２，拡散スクリーン３，コンデンサレンズ４，ペンタプリズム５，接眼レンズ６を通って、撮影者の目に到達する。
一方、光束の一部は、拡散スクリーン３によって拡散された後に、コンデンサレンズ４，ペンタプリズム５，測光用プリズム７，測光用レンズ８を通して、測光素子９へ到達する。
【００１４】
また、レリーズ時には、ミラー２が跳ね上げられて、絞り１１が絞り込まれた後に、シャッター１２が開かれてフィルムへの露光が行われる。これと同時に、露光中に、閃光発光部１０が発光する。発光したストロボ光は、その一部がフィルム面１３によって反射され、調光素子１４に到達する。
【００１５】
図３は、測光素子９の分割状態を被写界に照らし合わせて示した図である。
測光素子９は、例えば、ＣＣＤ等の蓄積型センサによって構成されており、図３（ａ）に示すように、上下方向に１２分割，左右方向に２０分割された合計２４０領域よりなり、被写界のほぼ全面を分割して測光できるようになっている。また、図３（ｂ）に示すように、１領域は、それぞれ分光感度の違うＢ，Ｇ，Ｒの３画素よりなっている。Ｂ，Ｇ，Ｒの画素は、それぞれの分光感度が、図４に示すようになっている。
【００１６】
図５は、本発明の背景光露出の露出演算値ＢＶａｎｓを求めるアルゴリズムを示した図である。
図５において、横軸に示すＡＶＥ及び縦軸に示すΔＢＶは、次のようにして求められる。まず、測光素子９の各出力を図３（ａ）に太線で示したＢ１〜Ｂ５の５領域に分類し、各領域に含まれる測光画素のＧ出力の平均を求め、それぞれの輝度値ＢＶ１〜ＢＶ５を求める。ここで、ＡＶＥ，ΔＢＶは、以下の式１，式２によって求められる。
ＡＶＥ＝（ＢＶ１＋ＢＶ２＋ＢＶ３＋ＢＶ４＋ＢＶ５）／５      …（１）
ΔＢＶ＝ＭＡＸ（ＢＶ１〜ＢＶ５）−ＭＩＮ（ＢＶ１〜ＢＶ５）  …（２）
ここで、ＭＡＸ，ＭＩＮは、それぞれ引数の最大値，最小値を求める関数である。
【００１７】
また、ＢＭ，ＢＨＭ，ＢＨの各露出値は、以下のようにして求められる。
ＢＭ＝（ＢＶ１＋ＢＶ２＋ＢＶ３＋ＢＶ４＋ＢＶ５）／５        …（３）
ＢＨＭ＝（ＢＭ＋ＢＸ）／２                                  …（４）
ＢＨ＝（２・ＢＸ＋ＢＸ２＋１）／３                          …（５）
ただし、ＢＸ＝ＭＡＸ（ＢＶ１〜ＢＶ５）、ＢＸ２は、ＢＶ１〜ＢＶ５の中でＢＸの次に明るい領域の輝度値である。
【００１８】
図６は、本発明のストロボの調光レベル値ＴＴＬを求める演算アルゴリズムを示した図である。
横軸のＡＶＥ及び縦軸のΔＢＶは、図５の値と同一である。なお、図中の数字の単位はＥＶであり、そのカメラの基準のストロボ調光レベル（通常０．１Ｌｘ・Ｓ）からのずれ量によって表されているので、マイナスの値の場合には、調光レベルがアンダー側に、プラスの場合にはオーバー側にずれることになる。
【００１９】
図７は、典型的な蛍光灯の波長分布を示した線図である。
図７に示したように、蛍光灯には、数本の輝線スペクトルと呼ばれる光エネルギーの突出した波長が存在するが、全体的に見た光エネルギーでは、Ｂ，Ｇ，Ｒの内で、Ｇ出力が多くなっている。
【００２０】
図８は、夕焼け又は夕日に見られる光の波長分布を示した線図である。
夕日に見られる光の色温度は、約３５００〜４０００Ｋ（ケルビン）であり、図８に示したように、かなり赤成分が強い光となっている。
【００２１】
図９は、横位置撮影の場合での典型的な夕景撮影の構図を示したものである。このように、夕景撮影の場合には、画面上方に夕焼けなどの空が含まれている確率が高い。
また、図１０は、同様に縦位置撮影での典型的な夕景撮影の構図を示したものである。このように、夕景撮影か否かを判定する場合には、画面上方の色バランスを見る方法が適している。
横位置撮影の場合には、図３に示す測光領域のＢ２及びＢ３の領域の色バランスを、また、縦位置撮影であった場合には、横位置での左側が上方であったときには、Ｂ２及びＢ４の領域、反対に右側が上方であったときには、Ｂ３及びＢ５の領域の色バランスを判定すればよい。
【００２２】
図１１は、カメラの姿勢検出部の検出方法を示した図である。
姿勢センサ１５は、カメラの姿勢を判別するセンサであって、ここでは、図１１中に示したように、２つの水銀スイッチ１５ａ，１５ｂを用いている。
図１１（ａ）は、カメラ姿勢が横位置の場合であり、水銀スイッチ１５ａ，１５ｂは、共に導通状態である。図１１（ｂ）は、カメラ姿勢が撮影者から見てペンタプリズムが右側に来る場合であり、水銀スイッチ１５ａは導通、１５ｂは非導通の状態である。図１１（ｃ）は、カメラ姿勢が撮影者から見てペンタプリズムが左側に来る場合であり、水銀スイッチ１５ａは非導通、１５ｂは導通の状態である。
このように、水銀スイッチ１５ａ，１５ｂの導通状態を確認することによってカメラの姿勢位置を判別することができる。
【００２３】
図１２は、蛍光灯照明による撮影シーンの典型的な構図を示した図である。
蛍光灯照明は、室内撮影などの場合に多く、この場合には、蛍光灯による色カブリの影響は、画面全体にほぼ平均的に見られる。したがって、この場合の色バランス検出には、測光領域Ｂ１〜Ｂ５の全ての領域の平均値を用いて行うのがよい。
【００２４】
次に、色バランス検出後の背景露出補正演算及び調光レベル補正演算の方法について説明する。
背景露出補正演算値ＢＶｓ及び調光レベル補正演算値ＴＴＬｓは、それぞれ次に示す式６及び式７によって求められ、それぞれ露出演算値ＢＶａｎｓ及び調光レベル値ＴＴＬに加算される。
ＢＶｓ＝ａ・Ｌｏｇ2 （ＲＢ）＋ｂ・Ｌｏｇ2 （ＧＢＲ）        …（６）
ＴＴＬｓ＝ｃ・Ｌｏｇ2 （ＲＢ）＋ｄ・Ｌｏｇ2 （ＧＢＲ）      …（７）
ここで、ＲＢは、測光素子９のＲ出力とＢ出力との比を表す変数である。具体的には、図１３で示したような標準光源（色温度５５００Ｋ）を測光した場合のＲ出力とＢ出力との比Ｒ／ＢをＲＢ０、撮影シーンでのＲ出力とＢ出力との比をＲＢ’とすると、ＲＢは、以下の式８によって求められる。
ＲＢ＝ＲＢ’／ＲＢ０                                        …（８）
従って、ＲＢの値は、撮影シーンにおいて、標準光源の場合に比べてＲ／Ｂが２倍であればＲＢ＝２となり、逆に、Ｒ／Ｂが１／２であればＲＢ＝０．５となる。また、演算に用いるＲ出力及びＢ出力は、図９及び図１０で示したように、カメラの姿勢位置によって画面上方に位置する測光領域（Ｂ２，Ｂ３）、（Ｂ２，Ｂ４）又は（Ｂ３，Ｂ５）の内の何れかが選択され、それらの測光出力の各色出力の平均値によって与えられる。
【００２５】
また、ＧＢＲは、Ｇ出力とＢ出力，Ｒ出力との比を表す変数であり、具体的には、図１３で示した標準光源を測光した場合のＧ出力とＢ，Ｒ出力との比Ｇ／（Ｂ・Ｒ）をＧＢＲ０、撮影シーンでのＧ出力とＢ，Ｒ出力との比をＧＢＲ’とすると、ＧＢＲは以下の式９で求められる。
ＧＢＲ＝ＧＢＲ’／ＧＢＲ０                                  …（９）
従って、ＧＢＲの値は、撮影シーンにおいて、標準光源の場合に比べてＧ／（Ｂ・Ｒ）が２倍であればＧＢＲ＝２となり、逆に、１／２であればＧＢＲ＝０．５となる。また、演算に用いられるＧ，Ｂ，Ｒの各出力は、全測光領域Ｂ１〜Ｂ５の各色出力の平均値によって与えられる値である。
ここで、ａ，ｂ，ｃ，ｄは各項に掛けられる定数であり、色バランスの度合いと補正量を関係づける係数である。ここでは、標準的な値として、ａ＝−１，ｂ＝１，ｃ＝−１，ｄ＝１とするが、これらの値は補正の効かせ方に応じて変更可能である。
【００２６】
上述した設定の場合に、ＲＢ＝２，ＧＢＲ＝１のとき、すなわちＲ出力が標準状態に比べて２倍のときには、ＢＶｓ＝−１，ＴＴＬｓ＝−１となり、背景露出は、標準光源のときに比べて１段オーバーに、逆に、ストロボ調光レベルは１段アンダー側に制御される。
また、ＲＢ＝１，ＧＢＲ＝２のとき、すなわちＧ出力が標準状態に比べて２倍のときには、ＢＶｓ＝１，ＴＴＬｓ＝１となり、背景露出は、標準光源のときに比べて１段アンダーに、逆に、ストロボ調光レベルは１段オーバー側に制御される。
【００２７】
図１４は、本実施形態に係るカメラの制御アルゴリズムを示すフローチャートである。
不図示のレリーズボタンが半押しされることにより、カメラの電源が入り、本アルゴリズムが実行される。まず、ステップＳ１０１において、測光部１６により被写界の測光を行い、Ｒ，Ｇ，Ｂの各測光値を求める。
【００２８】
次に、ステップＳ１０２において、図５に示した表に従って背景光露出値の演算を行い、背景光露出値ＢＶａｎｓを求める。ステップＳ１０３において、図６に示した表に従って調光レベル演算を行い、調光レベル値ＴＴＬを求める。ステップＳ１０４において、上述した手法によって背景露出補正演算を行い、露出補正値ＢＶｓを求める。ステップＳ１０５において、上述した手法によって調光レベル補正演算を行い、調光レベル補正値ＴＴＬｓを求める。
【００２９】
次に、ステップＳ１０６において、レリーズボタンが全押しされたか否かの判定を行い、全押しを検出した場合にはステップＳ１０７において、露出制御部２２によって求められたＢＶａｎｓ及びＢＶｓに基づいて、絞り１１，シャッター１２を制御して背景光の露出を行うと共に、調光制御部２３において求められたＴＴＬ及びＴＴＬｓに基づいて、ストロボ光の発光量制御を行う。
【００３０】
全押しを検出しなかった場合には、直接ステップＳ１０８へ進む。ステップＳ１０８では、レリーズボタンの半押しタイマーがタイマー切れであるか否かを判別し、タイマー切れでなかった場合には、ステップＳ１０１へ戻り、同様の処理を繰り返し、タイマー切れであった場合には、アルゴリズムを終了する。
【００３１】
図１５は、本実施形態に係るカメラの制御アルゴリズム（ＢＶｓ，ＴＴＬｓの算出）を示すフローチャートである。
Ｓ２０１では、姿勢センサ１５の水銀スイッチ１５ａ，１５ｂからの出力に基づいて、カメラが横正位置か否かを判別する。肯定の場合には、Ｓ２０２に進み、図３の領域Ｂ２，Ｂ３を選択し、否定の場合には、Ｓ２０３に進む。
【００３２】
Ｓ２０３では、カメラが撮影者から見てペンタプリズムが右の縦位置か否かをを判別する。肯定の場合には、Ｓ２０４に進み、図３の領域Ｂ２，Ｂ４を選択し、否定の場合には、Ｓ２０５に進む。
【００３３】
Ｓ２０５では、カメラが撮影者から見てペンタプリズムが左の縦位置か否かをを判別する。肯定の場合には、Ｓ２０６に進み、図３の領域Ｂ３，Ｂ５を選択し、否定の場合（カメラが上下逆の横位置）には、Ｓ２０５に進み、図３の領域Ｂ４，Ｂ５を選択する。
Ｓ２０２，２０４，２０６，２０７において、それぞれの領域を選択した後に、Ｓ２０８に進む。
【００３４】
Ｓ２０８では、領域Ｂ１〜Ｂ５の全領域のＢ，Ｇ，Ｒのそれぞれの平均値を用いて、ＲＢ’，ＧＢＲ’を算出して、Ｓ２０９に進む。ここで、ＲＢ’＝Ｒ／Ｂ，ＧＢＲ’＝Ｇ／（Ｂ・Ｒ）である。
【００３５】
Ｓ２０９では、ＲＢ’＞１か、すなわちＲ＞Ｂか（赤が強いか）否かを判別して、肯定の場合には、Ｓ２１０に進み、否定の場合には、Ｓ２１１に進む。Ｓ２１０では、ＲＢ１＝ＲＢ’／ＲＢ０，ＲＢ２＝１として、Ｓ２１２に進む。Ｓ２１１では、ＲＢ１＝１，ＲＢ２＝ＲＢ’／ＲＢ０として、Ｓ２１２に進む。
【００３６】
Ｓ２１２では、ＧＢＲ’＞１か、つまり、Ｇ＞Ｂ，Ｒか（緑が強いか）否かを判別して、肯定の場合には、Ｓ２１３に進み、否定の場合には、Ｓ２１４に進む。Ｓ２１３では、ＧＢＲ＝ＧＢＲ’／ＧＢＲ０として、Ｓ２１５に進む。Ｓ２１４では、ＧＢＲ＝１として、Ｓ２１５に進む。
【００３７】
Ｓ２１５では、次式にしたがって、ＢＶｓ，ＴＴＬｓを求める。
ＢＶｓ＝ａ・Ｌｏｇ2 （ＲＢ１）＋ｂ・Ｌｏｇ2 （ＧＢＲ）＋ｅ・Ｌｏｇ2 （ＲＢ２）
ＴＴＬｓ＝ｃ・Ｌｏｇ2 （ＲＢ）＋ｄ・Ｌｏｇ2 （ＧＢＲ）＋ｆ・Ｌｏｇ2 （ＲＢ２）
【００３８】
なお、各係数は、ａ＝−１，ｂ＝１，ｃ＝−１，ｄ＝１，ｅ＝−１，ｆ＝−１を標準とすることができる。これらの値は、効き具合に応じて、独立に調整可能である。
上述の設定の場合に、ＲＢ１＝２，ＧＢＲ＝１，ＲＢ２＝１のときに、ＢＶｓ＝−１，ＴＴＬｓ＝−１となる。ＲＢ１＝１，ＧＢＲ＝２，ＲＢ２＝１のときに、ＢＶｓ＝１，ＴＴＬｓ＝１となる。ＲＢ１＝１，ＧＢＲ＝１，ＲＢ２＝０．５のときに、ＢＶｓ＝１，ＴＴＬｓ＝１となる。
【００３９】
ここで、赤が強かった場合には、Ｓ２１０によって、ＲＢ１＞１，ＲＢ２＝１である。従って、ＢＶｓは、ｌｏｇ2 （ＲＢ１）＞１，ｌｏｇ2 （ＲＢ２）＝０であるので、ａ・ｌｏｇ2 （ＲＢ１）＞１の項だけが寄与する。ＴＴＬｓの値も同様である。
この場合に、ｂ・ｌｏｇ2 （ＧＢＲ），ｄ・ｌｏｇ2 （ＧＢＲ）の項は、無関係であるので、ＧＢＲの値に応じた値をとり、独立に作用する。
【００４０】
次に、緑が強かった場合には、Ｓ２１３により、ＧＢＲ＞１、すなわち、ｌｏｇ2 （ＧＢＲ）＞０である。従って、ＢＶｓは、ｂ・ｌｏｇ2 （ＧＢＲ）が、ＴＴＬｓは、ｄ・ｌｏｇ2 （ＧＢＲ）が各補正値に寄与する。この場合に、ＲＢ１，ＲＢ２の項は、これとは独立に作用する。
なお、緑が弱かった場合には、Ｓ２１４により、ＧＢＲ＝１となる。従って、ｌｏｇ2 （ＧＢＲ）＝０となり、補正値には寄与しない。
【００４１】
一方、青が強かった場合には、Ｓ２１１により、ＲＢ１＝１，０＜ＲＢ２≦１である。従って、ｌｏｇ2 （ＲＢ１）＝０，ｌｏｇ2 （ＲＢ２）≦０であるので、ＲＢ２の入った項が補正値に寄与する。
ｅ・ｌｏｇ2 （ＲＢ２），ｆ・ｌｏｇ2 （ＲＢ２）は、青が強かったときの補正値を与える項である。
【００４２】
【発明の効果】
以上詳しく説明したように本発明においては、ストロボ光と照明光とのバランスを取りながら撮影する、いわゆるバランスシンクロ撮影において、そのストロボ光と照明光との色バランスが最適になるよう制御可能なカメラを提供することが可能となる。請求項１では、閃光発光時の背景光露出値の補正値を算出する補正値演算部の出力により背景光露出を補正するので、被写体への背景光による色カブリを光源によって最適に制御することができる。また、閃光発光部の調光レベルの補正値を算出する調光レベル補正演算部を更に備え、調光レベル補正演算部は、色バランス検出部の出力に基づいて調光レベルの補正値を算出するようにしたので、背景光露出の露出補正によって被写体の露光量が変化した場合においても、調光レベルを最適化することにより被写体の露光量を適正とすることができる。請求項２では、色バランス検出部は、撮影画面の上部の色情報に基づいて、色バランスを検出するようにしたので、夕焼けなどによる色バランスの検出をより的確に行うことができる。請求項３では、カメラの姿勢を検出する姿勢検出部を更に備え、色バランス検出部は、姿勢検出部の出力に基づいて、色バランスを検出するようにしたので、カメラの姿勢位置に係わらず色バランスの検出を的確に行うことができる。請求項４では、色バランス検出部は、全撮影画面の色情報に基づいて、色バランスを検出するようにしたので、蛍光灯などの室内照明による色バランスの影響を的確に検出することができる。請求項５では、補正値演算部は、色バランス検出部の出力により緑成分が多いと判定された場合には、背景光露出が露出アンダーになるような補正値を算出するようにしたので、蛍光灯による色カブリを適切に補正することができる。請求項６では、補正値演算部は、色バランス検出部の出力により緑成分が多いと判定された場合には、緑成分が少ないときに比べて高い調光レベルを算出するようにしたので、背景照明光による背景光露出がアンダーになった場合にも主要被写体がアンダーになることなく適切な露出が得られる。請求項７では、調光レベル補正演算部は、色バランス検出部の出力により赤成分が多いと判定された場合には、背景光露出が露出オーバーになるような補正値を算出するようにしたので、夕焼けをバックにしたシーンや夕日を浴びたシーンなどでは主要被写体に当たる背景光の割合が高まり、その場の雰囲気を持った写真を撮影することができる。請求項８では、調光レベル補正演算部は、色バランス検出部の出力により赤成分が多いと判定された場合には、赤成分が少ないときに比べて低い調光レベルを算出するようにしたので、背景光露出の補正によってオーバー目に補正された場合においても主要被写体が適正露出である写真を得ることができる。請求項９では、補正値演算部は、色バランス検出部の出力により青成分が多いと判定された場合には、背景光露出が露出アンダーになるような補正値を算出するようにしたので、快晴時の日陰や、今にも雨が降り出しそうな曇天などのように、光源の色温度が標準よりも高い場合に、色カブリを適切に補正することができる。請求項１０では、調光レベル補正演算部は、色バランス検出部の出力により青成分が多いと判定された場合には、青成分が少ないときに比べて高い調光レベルを算出するようにしたので、背景照明光による背景光露出がアンダーになった場合にも主要被写体がアンダーになることなく適切な露出が得られる。
【図面の簡単な説明】
【図１】本発明によるカメラの実施形態の構成を示すブロック図である。
【図２】本実施形態に係るカメラの光学系を示した図である。
【図３】本実施形態に係るカメラの測光素子の分割状態を示す図である。
【図４】本実施形態に係るカメラの測光素子の分光感度を示した図である。
【図５】本実施形態に係るカメラの露出演算アルゴリズムを示した図である。
【図６】本実施形態に係るカメラの調光レベルアルゴリズムを示した図である。
【図７】蛍光灯の波長分布を示した図である。
【図８】夕日の波長分布を示した図である。
【図９】横位置での夕景シーンを示した図である。
【図１０】縦位置での夕景シーンを示した図である。
【図１１】カメラの姿勢位置検出法の説明図である。
【図１２】室内撮影シーンを示した図である。
【図１３】標準光源の波長分布を示した図である。
【図１４】本実施形態に係るカメラのアルゴリズムを示す流れ図である。
【図１５】本実施形態に係るカメラのアルゴリズムを示す流れ図である。
【符号の説明】
１  撮影レンズ
２  クイックリターンミラー
３  拡散スクリーン
４  コンデンサレンズ
５  ペンタプリズム
６  接眼レンズ
７  測光用プリズム
８  測光用レンズ
９  測光素子
１０  閃光発光部
１１  絞り
１２  シャッター
１３  フィルム面
１４  調光素子
１５  姿勢センサ
１６  測光部
１７  色バランス検出部
１８  露出演算部
１９  調光レベル演算部
２０  背景露出補正演算部
２１  調光レベル補正演算部
２２  露出制御部
２３  調光制御部
【図１】
0003777643.tif 000002
【図２】
0003777643.tif 000003
【図３】
0003777643.tif 000004
【図４】
0003777643.tif 000005
【図５】
0003777643.tif 000006
【図６】
0003777643.tif 000007
【図７】
0003777643.tif 000008
【図８】
0003777643.tif 000009
【図９】
0003777643.tif 000010
【図１０】
0003777643.tif 000011
【図１１】
0003777643.tif 000012
【図１２】
0003777643.tif 000013
【図１３】
0003777643.tif 000014
【図１４】
0003777643.tif 000015
【図１５】
0003777643.tif 000016